(57)【要約】【課題】動画を撮像する際に多様なパラメータを設定することが困難である。【解決手段】撮像用パラメータに基づき被写体像を撮像し映像信号を出力する撮像部と、信号処理用パラメータに基づき映像信号に対して信号処理を行い、出力映像信号を出力する信号処理部と、映像信号を表示する表示部と、撮像部および信号処理部に対し、少なくとも撮像用パラメータおよび信号処理用パラメータの何れかを順次変更しながら撮像部で撮像した映像信号を表示部に表示するよう制御する表示制御部と、表示制御部により制御された表示部に表示された出力映像信号の中から、映像信号を選択する入力部と、入力部で選択された映像信号における少なくとも撮像用パラメータ及び信号処理用パラメータのいずれかを、撮像部及び信号処理部に設定する制御部と、を備える。【選択図】図４
2011087158.tif 000002
【特許請求の範囲】
【請求項１】
撮像用パラメータに基づき被写体像を撮像し映像信号を出力する撮像部と、
信号処理用パラメータに基づき前記映像信号に対して信号処理を行い、出力映像信号を出力する信号処理部と、
前記出力映像信号を表示する表示部と、
前記撮像部および前記信号処理部に対し、少なくとも前記撮像用パラメータおよび前記信号処理用パラメータのいずれかを順次変更しながら、撮像中の映像信号を前記表示部に表示するよう制御する制御部と、
前記制御部により前記表示部に表示された映像信号の中から、任意のタイミングで映像信号を選択する操作を受け付ける操作部と、
を備え、
前記制御部は、前記操作部で選択された映像信号において用いられた、少なくとも前記撮像用パラメータ及び前記信号処理用パラメータのいずれかを、前記撮像部又は前記信号処理部に設定する
撮像装置。
【請求項２】
記録媒体への映像信号の記録を制御する記録制御部と、
前記記録媒体上の映像信号を読み出し、前記表示部に表示する再生制御部と、
を備え、
前記制御部は、
前記撮像部および前記信号処理部に対し、少なくとも前記撮像用パラメータおよび前記信号処理用パラメータのいずれかを順次変更しながら撮像した映像信号を、前記記録制御部を用いて前記記録媒体に記録し、
前記操作部は、
前記記録媒体に記録された映像信号を、前記再生制御部を用いて前記表示部に表示し、表示された出力映像信号の中から、任意のタイミングで映像信号を選択する操作を受け付ける
請求項１に記載の撮像装置。
【請求項３】
前記制御部は、
映像信号を前記表示部に表示するに際して、変更された少なくとも前記撮像用パラメータおよび前記信号処理用パラメータのいずれかを前記表示部に表示するよう制御する
請求項１又は２に記載の撮像装置。
【請求項４】
前記制御部は、
少なくとも前記撮像用パラメータおよび前記信号処理用パラメータのいずれかを変化させるシナリオを保持し、前記シナリオに基づいて、少なくとも前記撮像用パラメータおよび前記信号処理用パラメータのいずれかを変更する
請求項１から３の何れかに記載の撮像装置。
【請求項５】
前記制御部は、
前記シナリオの内容を前記表示部に表示し、前記操作部で受け付けた操作に基づいて、前記シナリオの内容を変更する
請求項４に記載の撮像装置。
【請求項６】
前記制御部は、
撮影時のシーンモード毎に前記シナリオを保持し、前記操作部で受け付けたシーンモードの選択操作に基づき、前記シナリオを選択する
請求項４又は５に記載の撮像装置。
【請求項７】
前記制御部は、
前記操作部で受け付けた、出力映像信号の中から任意のタイミングで映像信号を選択する操作に基づき、前記シナリオの内容を変更する
請求項４から６の何れかに記載の撮像装置。
【発明の詳細な説明】
【技術分野】
【０００１】
本発明は、撮像装置に関するものであり、特に、動画を撮像する際の多様なパラメータの設定を支援する撮像装置に関する。
【背景技術】
【０００２】
従来、撮像装置を操作する者は知識と経験により、撮像する際の撮像装置のパラメータを設定し、本番の撮影に望むことが多かった。しかし、カメラ操作に関わる知識と経験は、簡単に修得する事はできず、また撮像装置が異なった場合などに、装置個別の使い勝手が存在するなど、撮像装置の操作に不慣れな人にとっては、設定パラメータの最適値を見つけ出すことが、困難な作業となる。
【０００３】
特許文献１には、試し撮り指示を入力装置から受け付け、撮影条件を変更しながら被写体画像の複数回の試し撮りを行い、複数回の試し撮り結果の撮影画像を表示装置に表示し、利用者に所望の撮影画像を選択させ、その選択指示に応じて撮影工程に用いる撮影条件を設定するシール作成装置が開示されている。
【先行技術文献】
【特許文献】
【０００４】
【特許文献１】特開２００３−９１０４３号公報
【発明の概要】
【発明が解決しようとする課題】
【０００５】
しかしながら、シール作成装置は静止画を対象としたものであり、撮像を継続して動画を出力するビデオカメラ等の撮像装置において、撮像条件を変えて撮像した複数の動画を比較し、最適な撮像条件を選択するのは困難である。
【０００６】
本発明は、撮像装置の操作の経験が少ない撮影者でも、意図通りの映像が得られるように、設定パラメータの最適値を見つけ出すことができる撮影装置を提供することを目的とする。
【課題を解決するための手段】
【０００７】
本発明の撮像装置は、撮像用パラメータに基づき被写体像を撮像し映像信号を出力する撮像部と、信号処理用パラメータに基づき前記映像信号に対して信号処理を行い、出力映像信号を出力する信号処理部と、前記出力映像信号を表示する表示部と、前記撮像部および前記信号処理部に対し、少なくとも前記撮像用パラメータおよび前記信号処理用パラメータのいずれかを順次変更しながら、撮像中の映像信号を前記表示部に表示するよう制御する制御部と、前記制御部により前記表示部に表示された映像信号の中から、任意のタイミングで映像信号を選択する操作を受け付ける操作部と、を備え、前記制御部は、前記操作部で選択された映像信号において用いられた、少なくとも前記撮像用パラメータ及び前記信号処理用パラメータのいずれかを、前記撮像部又は前記信号処理部に設定する。
【発明の効果】
【０００８】
上記の構成によって、撮影者は設定パラメータを変更しながら撮像した映像信号を確認し、設定すべきパラメータを選択することができる。その設定が反映された状態で本番の撮影を行うことにより、装置の取り扱いに不慣れな撮影者であっても、意図通りの撮影を行うことができる。
【図面の簡単な説明】
【０００９】
【図１】実施の形態１における撮像装置の外観を示す図
【図２】実施の形態１におけるレンズ筐体部が取り外し可能な撮像装置の外観を示す図
【図３】実施の形態１における撮像装置の後部からの外観を示す図
【図４】実施の形態１における機能ブロックを含む撮像装置の構成を示す図
【図５】実施の形態１における撮像装置の動作を示すフローチャート
【図６】実施の形態１におけるリハーサルＲＥＣシーケンス定義ファイルの一例を示す図
【図７】実施の形態１の変形例１における撮像装置の動作を示すフローチャート
【図８】実施の形態１の変形例２における撮像装置の動作を示すフローチャート
【図９】実施の形態１の変形例３におけるリハーサルＲＥＣシーケンス定義ファイルの一例を示す図
【図１０】実施の形態１の変形例４における撮像装置の動作を示すフローチャート
【図１１】実施の形態２における撮像装置の動作を示すフローチャート
【発明を実施するための形態】
【００１０】
以下、実施の形態について、図面を用いて詳細に説明する。
【００１１】
（実施の形態１）
（１−１．撮像装置の構成）
図１から図４は、実施の形態１における撮像装置の概観を示す図である。本実施の形態１の撮像装置１００は、図１に示すように、レンズ筐体部１０１と、ＬＣＤ表示部１０２と、ＥＶＦ表示部１０３と、本体筐体部２０９と、を有する。撮像装置１００の本体筐体部２０９は、記録媒体１０５を着脱可能であり、機械的及び電気的に記録媒体１０５と接続するスロットを有する。
【００１２】
撮像装置１００は、上記の機構を一体の筐体に納めるが、図２に示すようにレンズ筐体部１０１が取り外し可能な構造であっても良い。図２のようにレンズ筐体部１０１が取り外しが可能な場合は、対となる本体筐体部２０９のレンズ受け部分にレンズの情報を取得する為のレンズ情報検知部２０８を有する。
【００１３】
撮像装置１００は、図３に示すように、外部出力部３０４を有する。
【００１４】
撮像装置１００は、図４に示すように、本体筐体部２０９の内部に機能制御部として、カメラ制御部４０５と、映像記録再生部４０６と、バックエンド制御部４０７とを有する。
【００１５】
レンズ筐体部１０１は、一般的に複数のレンズ群から構成され、フォーカス機構、ズーム機構、アイリス機構を有する。
【００１６】
カメラ制御部４０５は、レンズ筐体部１０１に対し、フォーカス機構、ズーム機構、アイリス機構等を制御し、フォーカス機能、ズーム機能、アイリス機能等を実現する。また、カメラ制御部４０５は、レンズ筐体部１０１を通過した光を電気信号に変換するＣＣＤやＣＭＯＳなどの受光素子を有し、映像信号を生成する。これらの受光素子を制御することにより、電子シャッター速度を制御する。また、映像信号に各種変換を行い、色温度制御、ゲイン制御、ガンマカーブ制御、ニーポイント制御等を行う事もできる。
【００１７】
映像記録再生部４０６は、カメラ制御部４０５が出力する映像信号を符号化し、映像データとして記録媒体１０５へ記録する。映像信号を映像データへ変換するための符号化処理は、符号化するフォーマットや、記録レートの差違によって、エンコード方法が異なり、出力される映像データが異なる。符号化処理は、例えば、ＭＰＥＧ−２や、Ｈ．２６４の規格に準拠した圧縮形式により画像データを圧縮する。但し、ＭＰＥＧ−２や、Ｈ．２６４の形式の画像データに限定されない。
【００１８】
映像記録再生部４０６は、記録媒体１０５より取り出した映像データをフォーマットあるいは、記録レートにより指定されたデコード方法に従い、映像データを映像信号へ復号する。復号された映像信号は、ＬＣＤ表示部１０２、ＥＶＦ表示部１０３、あるいは外部出力部３０４へ出力される。
【００１９】
記録媒体１０５は、半導体記録素子や、ハードディスクドライブや、光磁気ディスクや、磁気記録テープなどである。
【００２０】
ＬＣＤ表示部１０２およびＥＶＦ表示部１０３は、映像記録再生部４０６が生成した映像信号を表示する。またバックエンド制御部４０７が生成した、メニューや設定値、機器の動作状況等を表示するための映像を、映像信号に重畳させて出力することも可能である。
【００２１】
操作部１０６は、各種ボタンにより構成され、撮影者による各種操作を受け付ける。なお、本実施の形態１では、操作部１０６は、ＬＣＤ表示部１０２の下部に配置した形態について説明するが、これに限られず、撮像装置１００のいずれの場所に配置しても良い。
【００２２】
外部出力部３０４は映像記録再生部が生成した映像信号を、外部出力端子より出力する。またバックエンド制御部４０７が生成した、メニューや設定値、機器の動作状況等を表示するための映像を、映像信号に重畳させて出力することも可能である。
【００２３】
バックエンド制御部４０７は、上記のカメラ制御部４０５、および映像記録再生部４０６を統括的に制御し、撮像装置１００の機能を実現させる。バックエンド制御部４０７は、前述したカメラ制御部４０５が持つ機能である色温度制御、ゲイン制御、ガンマカーブ制御、ニーポイント制御等の映像効果制御を行っても良い。
【００２４】
バックエンド制御部４０７は、記憶部（図示せず）に保持するリハーサルＲＥＣシーケンス定義ファイルを参照し、リハーサルＲＥＣ中の一連の動作を実現する。リハーサルＲＥＣ時には、シーケンス定義ファイルに応じて色温度制御、ゲイン制御、ガンマカーブ制御、ニーポイント制御、シャッター速度、フォーカス、ズーム、アイリスの状態、記録レート、記録フォーマット等を制御する。制御した情報はタイムコードと共に記録ストリームに紐付けされたメタデータとして作成する。バックエンド制御部４０７は生成されたメタデータを、記録媒体１０５へ記録する。
【００２５】
バックエンド制御部４０７は、レンズ交換を伴う場合は、レンズ情報検知部２０８が取得する情報を元にメタデータへレンズ情報を追加する機構を有する。バックエンド制御部４０７は、メニューや設定値、機器の動作状況等を表示するための画像を、映像信号に重畳させて出力する機構を有し、再生時にメタデータから抽出した再生されている映像ストリームの記録設定パラメータを取得し表示する機構を有する。また、バックエンド制御部４０７はこの時取得された設定パラメータを、通常記録時に使用するパラメータへ反映させる為の機構を有する。
【００２６】
（１−２．撮像装置の動作）
被写体の撮像前に、撮像時に用いるパラメータを設定する際の撮像装置１００の動作について、図５に示すフローチャートを用いて説明する。
【００２７】
撮影者が、例えばリハーサルＲＥＣ開始ボタンを押下することにより、リハーサルＲＥＣが開始される（ステップ５０１）。
【００２８】
撮像装置１００のバックエンド制御部４０７は、記憶部上に保持するリハーサルＲＥＣシーケンス定義ファイルを読み出す（ステップ５０２）。リハーサルＲＥＣシーケンス定義ファイルは、リハーサルＲＥＣ動作中に実行する各パラメータの変更シーケンスが記述されており、変更させるパラメータの種類、最大値最小値の範囲、一回の更新で変更する変更量、変更速度等が記述される。図６にリハーサルＲＥＣシーケンス定義ファイルの一例を示す。このリハーサルＲＥＣシーケンス定義ファイルでは、色温度制御、ゲイン制御、ガンマカーブ制御、ニーポイント制御、シャッター速度、フォーカス、ズーム、アイリスの状態等のパラメータを変更する。
【００２９】
撮像装置１００は、撮像を開始し、記録媒体１０５へ映像ストリームを記録する（ステップ５０３）。その後、バックエンド制御部４０７は、リハーサルＲＥＣシーケンス定義ファイルを基に、カメラ制御部４０５を制御し、アイリス、ゲイン、色温度等の映像パラメータを時間的に多次元的に変化させながら、撮像を行う（ステップ５０４）。リハーサル記録を行っている際に、時間的に変化させた各パラメータの値は、バックエンド制御部４０７によりタイムコードと映像ストリームに紐付けされたメタデータとして作成される（ステップ５０５）。各パラメータが一連のシーケンスにより変更され、シーケンスが一通り完了すると（ステップ５０６でＹｅｓ）、撮像装置１００はリハーサルＲＥＣを終了し、映像ストリームの記録が完了すると共に、作成されたメタデータを記録媒体１０５へ記録する（ステップ５０７）。
【００３０】
次に撮影者は、リハーサルＲＥＣで記録された映像を、操作部１０６を操作して選択し、再生する（ステップ５０８）。記録された映像を評価する撮影者や映像監修者は、変更シーケンスに従って記録された映像を確認し、意図通りの映像が撮影された箇所を操作部１０６を操作し、選択する（ステップ５０９でＹｅｓ）。意図通りの映像が撮影された箇所で、この時点の撮像パラメータの反映する操作を行うと、撮像装置１００はメタデータから映像を記録した時点の各種パラメータを取得し、これらのパラメータを撮像装置の通常記録時のパラメータに反映させる（ステップ５１０）。
【００３１】
意図通りの映像が撮影された箇所を選択する際の具体的な操作として、再生一時停止状態とする事などが考えられる、再生一時停止状態となった時点で、設定パラメータを反映させる事を促すメッセージを表示し、選択することにより、撮影者がパラメータの反映を決定する事ができる。
【００３２】
以上のように、本実施の形態１の撮像装置１００によれば、撮影者は、リハーサルＲＥＣで記録された映像を再生させながら確認し、好みの映像における設定パラメータを撮像装置に設定することができ、その設定が反映された状態で本番の撮影を行うことができるため、装置の取り扱いに不慣れな撮影者であっても、撮影者の意図通りの撮影が容易となる。また、撮像装置の取り扱いに長けた撮影者であっても、撮像装置の性能の幅を理解し、撮像装置のポテンシャルを理解して撮像を行うことが可能となり、表現の幅を広げる手助けとなりうる。また、従来であれば、各パラメータ設定は撮像装置の取扱者であるカメラマンが行う事が多かったが、プロデューサー等の映像監修者が、直接撮影された映像を確認しながらパラメータ設定を直感的に設定できるようになるため、映像監修者の意図が直接、映像に反映しやすくなる。
【００３３】
（変形例１）
実施の形態１の変形例１について説明する。変形例１における撮像装置１００の構成は、実施の形態１と同一であり、説明を省略する。
【００３４】
変形例１における撮像装置１００の動作を、図７に示すフローチャートを用いて説明する。図７において、図５に示す実施の形態１のフローチャートと同一の動作については、同じ番号を付与し、説明を省略する。
【００３５】
実施の形態１との相違点として、撮影者は、リハーサルＲＥＣ開始以前に、記憶部に格納されたリハーサルＲＥＣシーケンス定義ファイルをＬＣＤ表示部１０２又はＥＶＦ表示部１０３上で確認し、操作部（図示せず）を用いてリハーサルＲＥＣシーケンス定義ファイル中のパラメータの種類や範囲を設定する（ステップ７０１）。
【００３６】
撮像装置１００は、リハーサルＲＥＣが開始されると、上記設定されたリハーサルＲＥＣシーケンス定義ファイルに基づいて映像記録を行う。リハーサルＲＥＣの開始以降の撮像装置１００の動作は実施の形態１と同一である。
【００３７】
変形例１において、撮像装置１００は、変更するパラメータの種類や範囲を予め限定することができ、リハーサルＲＥＣに要する時間を短縮することができる。
【００３８】
（変形例２）
実施の形態１の変形例２について説明する。変形例２における撮像装置１００の構成は、実施の形態１と同一であり、説明を省略する。
【００３９】
変形例２における撮像装置１００の動作を、図８に示すフローチャートを用いて説明する。実施の形態１との相違点として、撮影者は、リハーサルＲＥＣ開始以前に、操作部を用いてシーンモード（晴天モード、シネマモード、夜景モード等）の選択を行う（ステップ８０１）。記憶部上には、予め晴天モード、シネマモード、夜景モード等、シーンに合わせたパラメータセットが格納されている。撮像装置１００は、選択されたシーンモードに対応したパラメータセットを読み出し、それに基づき映像記録を行う。
【００４０】
変形例２において、撮像装置１００は、その使用シーンの範囲内でパラメータを変更することができ、リハーサルＲＥＣに要する時間を短縮することができる。
【００４１】
（変形例３）
実施の形態１の変形例３について説明する。変形例３における撮像装置１００の構成及び動作は、実施の形態１と同一である。
【００４２】
変形例３において、撮像装置１００は、リハーサルＲＥＣの一連のシーケンス中で、必要に応じて、記録レートの変更、フレームレートの変更やエンコードするフォーマットの変更を行う。この際のリハーサルＲＥＣシーケンス定義ファイルの一例を図９に示す。記録レート、フレームレート、エンコードを変化させるにあたって、撮像装置１００は、一旦記録を停止する必要がない場合には、映像ストリームを切り分ける必要がないが、一般的に記憶レートの変更、フレームレートの変更やエンコードするフォーマットの変更を伴う場合には、記録を継続しながらこれらの設定を変更することが困難である。したがって、撮像装置１００は、一旦記録を停止し、設定を変更する必要がある。
【００４３】
バックエンド制御部４０７は、リハーサルＲＥＣシーケンス定義ファイルを基に、カメラ制御部４０５を制御してアイリス、ゲイン、色温度等の映像パラメータを時間的に多次元的に変化させるとともに、記録レート、フレームレートやエンコードするフォーマットを変化させる際には、一旦記録を停止させてから設定を変更し、再度撮像を開始させる動作を繰り返しながら、リハーサルＲＥＣの一連のシーケンスを完了させる。この場合も、再生時のメタデータの取得、及びパラメータの反映は実施の形態１と同じ手順で行う事ができる。
【００４４】
（変形例４）
実施の形態１の変形例４について説明する。変形例４における撮像装置１００の構成は、実施の形態１と同一であり、説明を省略する。
【００４５】
変形例４における撮像装置１００の動作を、図１０に示すフローチャートを用いて説明する。実施の形態１との相違点として、リハーサルＲＥＣで記録された映像を再生させている際に、撮像装置１００は紐付けされたメタデータから、記録時の各種パラメータを時々刻々取得し（ステップ１００１）、取得したパラメータをＬＣＤ表示部１０２又はＥＶＦ表示部１０３へ出力する映像に重畳させて表示する（ステップ１００２）。さらに撮影者は、撮像パラメータを反映する操作を行った後に、設定パラメータの微調整を行うことができる（ステップ１００３）。
【００４６】
変形例４において、撮影者は、映像確認時に各種パラメータを目視確認することができ、パラメータ反映後に手動で微調整を行うことができるため、より細かなパラメータ設定を行うことができる。
【００４７】
（実施の形態２）
実施の形態２では、リハーサルＲＥＣで記録した映像中に、意図した映像が存在しない場合の処理について説明する。
【００４８】
撮像装置１００は、リハーサルＲＥＣの時間を短縮するために、パラメータの変更ステップを大きくしたり、変更速度を早くすることが考えられる。しかしながら、パラメータの変更ステップが大きかったり、パラメータの変更速度が早い場合、映像確認時に、選択した映像が最適値であるか確認しにくくなる。本実施の形態２では、撮像装置１００は、撮影者の操作により、リハーサルＲＥＣ及び設定パラメータの変更を繰り返し行うことが可能となる。
【００４９】
実施の形態２における撮像装置１００の構成は、実施の形態１と同一であり、説明を省略する。
【００５０】
実施の形態２における撮像装置１００の動作を、図１１に示すフローチャートを用いて説明する。実施の形態２において、リハーサルＲＥＣの開始から終了までの処理（ステップ５０１からステップ５０７）については、実施の形態１と同一であり、説明を省略する。
【００５１】
撮影者は、リハーサルＲＥＣで記録された映像を選択し再生する（ステップ５０８）。撮影者は、変更シーケンスに従って記録された映像を確認し、意図通りの映像が撮影された箇所を選択する（ステップ５０９でＹｅｓ）。パラメータを反映させる為の再生一時停止状態では、パラメータの反映を促すメッセージが表示されるが、この時点で、リハーサルＲＥＣのリトライを促すメッセージを表示させる（ステップＳ１１０１）。
【００５２】
この際、撮影者がリトライを選択した場合（Ｓ１１０１でＹｅｓ）、選択された撮影箇所で用いられたパラメータを基に（Ｓ１１０２）、リハーサルＲＥＣシーケンス定義ファイル中のパラメータの変更種類や範囲を狭めるようリハーサルＲＥＣシーケンス定義ファイルの内容を更新する（Ｓ１１０３）。
【００５３】
以上のように、本実施の形態２の撮像装置１００によれば、撮影者は、リハーサルＲＥＣを繰り返し行い、その都度、変更するパラメータの範囲を狭めることにより、より詳細な設定を行うことが可能となる。
【００５４】
（その他の実施の形態）
上記実施の形態では、設定パラメータを変更しつつ撮像した映像を記録媒体に記録する形態について説明したが、撮像装置はこれに限定されず、設定パラメータを変更しつつ撮像した映像を、直接ＬＣＤ表示部等に表示しつつ、意図通りの映像が撮影された箇所を選択する形態であっても良い。
【産業上の利用可能性】
【００５５】
本実施の形態に係る撮像装置は、設定パラメータを変更しながら撮像した映像信号を確認し、設定すべきパラメータを選択することができ、選択したパラメータで本番の撮影を行うことにより、装置の取り扱いに不慣れな撮影者であっても撮影者の意図通りの撮影を行うことができ、有用である。
【符号の説明】
【００５６】
１００  撮像装置
１０１  レンズ筐体部
１０２  ＬＣＤ表示部
１０３  ＥＶＦ表示部
１０５  記録媒体
１０６  操作部
２０８  レンズ情報検知部
２０９  本体筐体部
３０４  外部出力部
４０５  カメラ制御部
４０６  映像記録再生部
４０７  バックエンド制御部
【図１】
2011087158.tif 000003
【図２】
2011087158.tif 000004
【図５】
2011087158.tif 000005
【図６】
2011087158.tif 000006
【図７】
2011087158.tif 000007
【図８】
2011087158.tif 000008
【図９】
2011087158.tif 000009
【図１０】
2011087158.tif 000010
【図１１】
2011087158.tif 000011
【図３】
2011087158.tif 000012
【図４】
2011087158.tif 000013